(57)【特許請求の範囲】
【請求項１】
機器筐体下面に着脱自在に設けられ、外部配線を接続するための端子面を有するターミナルと、
上記機器筐体前面側に設けられ、長手方向が上記機器筐体の上下方向に沿った長溝状のスライドレールからなるスライド手段と、
上記ターミナルの端部に設けられ、上記スライドレールの長手方向にスライド可能に係合して支持されると共に、回動軸として上記ターミナルを上記機器筐体下面とその前面側との間で回動させる回動部を備え、
上記ターミナルは、
上記機器筐体下面から取り外して上記回動部を軸として上記機器筐体下面からその前面方向に回動させて上記スライドレールに釣支させ、この状態から上記回動部を上記スライドレールの長手方向上方にスライドさせることにより、上記端子面を前面にして上記機器筐体前面に配置される電子機器。
【請求項２】
機器筐体の前面部及びターミナルの一方は凸部形状のターミナル固定手段を備えるとともに、他方は凹部形状のターミナル固定手段を備え、上記ターミナルが上記機器筐体の前面に固定されることを特徴とする請求項１記載の電子機器。
【発明の詳細な説明】
【０００１】
【技術分野】
この発明は、配線作業時に設置位置を好適に移動することができるターミナルを備えた電子機器に関するものである。
【０００２】
【背景技術】
工場や研究施設などでは温度、圧力などの様々なパラメータを制御する制御装置が使用されている。このような制御装置において各々のパラメータを制御する電子機器が一つのモジュールとなり、これらが各々接続されてＤＩＮレールやラック等に取り付けられるものがある。
【０００３】
上記のような電子機器はＤＩＮレールやラック等に好適に取り付けられるベースブロックと制御回路を収納した電子機器本体ケースにより構成され、これらが接続されて一つのモジュールとなっている。このような電子機器モジュールにおいて、外部電源を供給するための電源入力端子、測定した観測信号を入力する入力端子及びこの観測信号に基づいて外部装置を制御する制御信号を出力する出力端子などの通信端子を有したターミナル（端子台）は、配線作業を容易にするため電子機器モジュールの前面に設けられていた。
【０００４】
図５は上記のような電子機器モジュールの従来の構成を示す図であり、（ａ）は正面図、（ｂ）は側面図、（ｃ）は上面図である。図において、４１は電子機器の筐体であり、内部に制御回路などを収納した電子機器本体ケース、４２はラック等へ好適に取り付けられ、複数のモジュールを接続するベース間接続コネクタ４３を備えたベースブロックである。４３はベース間接続コネクタであって、接続されたベースブロックは各々のベースブロック間で内部の電源線、通信線が接続され電源の供給やモジュール間でデータ送受を行うことができる。４４は外部電源を供給するための電源入力端子、測定した観測信号を入力する入力端子及びこの観測信号に基づいて外部装置を制御する制御信号を出力する出力端子などの通信端子を有したターミナルであり、配線作業を容易にするため電子機器モジュールの前面に設置されている。４５は電子機器モジュールの様々な動作状況を表示する表示パネルであり、図示の例では電子機器モジュールの動作異常時に点灯するフェイル表示ランプ４６及び電子機器モジュールが動作中であることを表示する動作表示ランプ４７が設置されている。
【０００５】
次に概要について説明する。上記のような電子機器モジュールは複数個が連結されて、各種の制御を同一のコントロールパネルで行う制御装置として使用される。モジュールの連結はベース間接続コネクタ４３によってベースブロック４２を複数個連結したものをラック等に取り付け、この連結されたベースブロック４２に各種制御用の電子機器モジュールの電子機器本体ケース４１を接続して行われる。また、各々のモジュールが制御している被制御装置とのデータ送受などを行う通信ケーブルや外部電源の供給を行う電源ケーブルは電子機器本体ケース４１前面のターミナル４４に配線される。このような電子機器モジュールの動作に必要なケーブル類の配線は、モジュールの後面はベースブロックとしてラック等に取り付けられ、側面、上下面はモジュールが複数個連結されているので配線作業が困難であるため、上記のように前面に設置したターミナル４４において行っていた。
【０００６】
【発明が解決しようとする課題】
従来の電子機器は以上のように構成されているので、電子機器筐体の前面に設置されたターミナルによって前面の面積のほとんどが占有されてしまい、電子機器の各種の動作状況を表示する表示パネル等に使用する面積を十分に確保することができなかった。このため電子機器の制御状況や動作状況を確認するために必要な表示をすることができないことがあるという課題があった。
【０００７】
特に、温度調節器モジュールは測定温度、設定温度、リモート操作またはローカル操作などの表示は必須の表示事項であるので、これらを全て表示する表示パネルを設けるには機器筐体自体を大型化し前面の表示パネル用の面積を確保する必要があった。このため機器の小型化に制約があるため、これらの機器の設置スペースを有効に利用することができないなどの課題があった。
【０００８】
この発明は上記のような課題を解決するためになされたもので、ターミナルを電子機器筐体の前後面以外の外面に配置し、配線作業時には好適に前面にターミナルの設置位置を移動させることにより、配線作業が容易であり且つ機器前面の表示用の面積を確保することができる電子機器を得ることを目的とする。
【０００９】
【課題を解決するための手段】
請求項１記載の発明に係る電子機器は、機器筐体下面に着脱自在に設けられ、外部配線を接続するための端子面を有するターミナルと、機器筐体前面側に設けられ、長手方向が機器筐体の上下方向に沿った長溝状のスライドレールからなるスライド手段と、ターミナルの端部に設けられ、スライドレールの長手方向にスライド可能に係合して支持されると共に、回動軸としてターミナルを機器筐体下面とその前面側との間で回動させる回動部を備え、ターミナルは、機器筐体下面から取り外して回動部を軸として機器筐体下面からその前面方向に回動させてスライドレールに釣支させ、この状態から回動部をスライドレールの長手方向上方にスライドさせることにより、端子面を前面にして機器筐体前面に配置されることを特徴とするものである。
【００１０】
請求項２記載の発明に係る電子機器は、機器筐体の前面部及びターミナルの一方は凸部形状のターミナル固定手段を備えるとともに、他方は凹部形状のターミナル固定手段を備え、ターミナル固定手段によってターミナルが機器筐体の前面に固定されることを特徴とするものである。
【００１１】
【発明を実施するための最良の形態】
実施の形態１．
図１はこの発明の実施の形態１による電子機器の外観を示した五面図であり、前後面、上下面、片側側面を示している。図において、１は制御回路基板を収納した電子機器本体ケース（機器筐体）、２はラック等に好適に取り付けられるベースブロック（機器筐体）であり、この電子機器本体ケース１とベースブロック２が接続されて電子機器モジュールを構成する。３はターミナルであって、外部電源を供給する電源ケーブルなどを配線する入出力端子６及び特定のコネクタを有したケーブルを接続するコネクタ７を備え、電子機器本体ケース１の下面に設置されて電子機器本体ケース１外部に露出した不図示の上記制御回路基板の外部電極接続部と電気的に接続している。３ａはターミナル３の入出力端子６を保護するターミナルカバーであり、端部に設けたカバー回動部３ｂによってターミナル３とその下方向との間を回動自在に電子機器本体ケース１に支持されている。４はターミナル３を電子機器本体ケース１に固定するケース固定用ラッチ、５はターミナル３の端部に設けられ、ターミナルスライド部８と電子機器本体ケース１のターミナル３の設置面との間をターミナル３が回動自在になるように、ターミナルスライド部８のスライドレール８ａに支持されたターミナル回動部（回動部）である。
【００１２】
６はターミナル３に設けられたケーブル配線用の入出力端子であり、７は特定のコネクタを有したケーブルを接続するコネクタである。８は電子機器本体ケース１の前面に設けられたターミナルスライド部（スライド手段）であって、８ａはターミナル回動部５を支持するスライドレール（スライド手段）である。このスライドレール８ａにはターミナル３の両側面に設けられ、ターミナル３の裏面側に突出した固定用係合凸部（凸部形状のターミナル固定手段）９が係合固定されるターミナル固定用係合凹部（凹部形状のターミナル固定手段）８ｂが設けられている。９ａはターミナル３が電子機器本体ケース１の通常の設置位置に固定されている時に、上記固定用係合凸部９が係合するケース側係合部である。１０はこの発明の電子機器の様々な動作状況を表示する表示パネルであり、電子機器本体ケース１の前面に設けられている。１１は電子機器本体ケース１の上面に設けられた外部電源供給のための電源ケーブルを配線する電源入力端子である。
【００１３】
図２はこの発明の実施の形態１による電子機器のターミナルの移動について説明した説明図であり、図中の（ａ），（ｂ），（ｃ）の順で電子機器本体ケース１の前面に移動する。図３はこの発明の実施の形態１による電子機器のターミナルの構成部を示す図であり、（ａ）は図２（ａ）中のＡ部分の拡大図、（ｂ）は図２（ｃ）中のＢ部分の拡大図とその部分の正面図を併せて示している。なお、図１に示したものと同一のものは同符号を付して重複した説明を省略する。
【００１４】
図２を用いてターミナル３の電子機器本体ケース１前面への移動操作について説明する。ターミナル３へケーブルなどを配線する場合、先ず、図２（ａ）に示すようにターミナル３の入出力端子６を保護しているターミナルカバー３ａをその端部に設けたカバー回動部３ｂを軸として回動させ、入出力端子６の保護を解除する。次にターミナル３を電子機器本体ケース１に固定しているケース固定用ラッチ４を本体ケース１の前面方向に引くと、ターミナル３の本体ケース１への固定が解除される。図３（ａ）に示すようにこのケース固定用ラッチ４はケース固定用ラッチ４に設けた係合凸部４ａと、本体ケース１のケース固定用ラッチ４との対向面に設けたケース側係合凹部１ａとがターミナル３が本体ケース１に固定されているときは係合固定されており、ターミナル３を取り外すときにラッチ４を本体ケース１の前面方向に引くことで係合固定を解除することができる。
【００１５】
本体ケース１への固定が解除されると、ターミナル３は本体ケース１内に収納された不図示の制御回路基板の外部電極接続部と接離自在に接続されているので、本体ケース１から脱着自在となる。この次にターミナル３を本体ケース１から取り外すと、ターミナル３は他方の端部に設けたターミナル回動部５を軸としてターミナルスライド部８と電子機器本体ケース１のターミナル３の設置面との間を回動し、スライドレール８ａに釣支される（図２（ｂ）参照）。
【００１６】
次にターミナル回動部５をスライドレール８ａ内で本体ケース１の上方向にスライドさせて、本体ケース１の前面部にターミナル３の裏面を係合させて設置する。具体的には、ターミナル３の両側面に設けられ、ターミナル３の裏面側に突出した固定用係合凸部９と、スライドレール８ａに設けたターミナル固定用係合凹部８ｂとを係合固定させることにより、ターミナル３が本体ケース１の前面に設置固定する。
【００１７】
上記ターミナル３の本体ケース１の前面への固定を詳細に説明すると、図３（ｂ）に示すように、ターミナル３の裏面側に突出した固定用係合凸部９は本体ケース１の後方向へ下るスロープ面９ｂを有しており、本体ケース１の前方向下部は前方向に上るスロープ面１ｂを有している。ターミナル３を本体ケース１の前面にスライドさせてゆくと、固定用係合凸部９が本体ケース１の前方向下部に接触する。この時、上記のようにスロープ面９ｂ，１ｂが形成されているので、大きな摩擦抵抗を生じることなく固定用係合凸部９を上方向にスライドさせることができる。固定用係合凸部９がスライドレール８ａに設けたターミナル固定用係合凹部８ｂに達すると、これらが係合固定される。ターミナル固定用係合凹部８ｂは固定用係合凸部９の形状に合わせて本体ケース１の後方向の開口部が狭くなっており、これにより係合時にターミナル固定用係合凹部８ｂと固定用係合凸部９との間に隙間がほとんどできないので、ターミナル３をがたなく設置することができる。
【００１８】
上述のようにして本体ケース１の前面部にターミナル３の裏面を係合させて設置固定し、配線作業を行うので容易に作業することができる。配線作業後、ターミナル３を本体ケース１の前方向に引くことで、固定用係合凸部９とターミナル固定用係合凹部８ｂとの係合固定が解除され、ターミナル３はスライドレール８ａに釣支された状態になる。この後、上記と逆の操作を行ってターミナル３を本体ケース１の下面に設置しターミナルカバー３ａを戻して配線作業が完了する。また、特定のコネクタを有したケーブルをターミナル３に接続した場合でも接続したケーブルが本体ケース１の前面に出てこないので、本体ケース１前面での機器操作中にケーブルを外してしまうことがない。
【００１９】
また、上述のターミナルスライド部８は本体ケース１の前面の両側面に設置すればよいので大きな面積を占有することがなく、多くのパラメータを表示することが必要な電子機器においても表示パネルの面積を確保することができる。
【００２０】
さらに、上述のターミナルスライド部８は、ターミナル回動部５が電子機器本体ケース１の側面からスライドレール８ａへ挿入されているのでなく、電子機器本体ケース１の前面と側面に設けた溝であるスライドレール８ａの前面側の溝からターミナル回動部５を挿入しているので、電子機器本体ケース１の側面に突出するものが無く、電子機器モジュールを連結するときの設置スペースを有効に利用することができる。
【００２１】
以上のように、この実施の形態１によれば、電子機器本体ケースの前後面以外の外面に着脱可能にターミナルを設け、ターミナルへの配線作業時にターミナルをターミナルスライド部によって電子機器本体ケースの前面に移動させ設置固定するように構成したので、電子機器本体ケースの前面の面積を有効に利用することができ、例えば、大きな表示パネルを設けることで、多くのパラメータを表示することができ、視認性や操作性を向上させることができる。
【００２２】
また、電子機器本体ケースの前面でターミナルへの配線作業を行うことができるので作業が容易であり、作業が完了するとターミナルを電子機器本体ケースの前後面以外の外面に設置することができるので、電子機器本体ケースの前面での操作中にケーブルを外してしまうことがなく操作性や安全性を向上させることができる。
【００２３】
なお、上記ではケーブルなどをターミナル３に配線した場合を示したが、電源ケーブルなどの誤配線をすると危険なケーブルについては、図１の上面図に示すようにターミナル３とは別に外部電源供給の電源ケーブル専用の電源入力端子を設け、他のケーブルと分離することで誤配線を防ぐようにしてもよい。
【００２４】
さらに、上記ではターミナル３の本体ケース１への固定はケース固定用ラッチ４によって行ったが、ターミナル３を本体ケース１などへ直接螺着してもよい。図４は実施の形態１による電子機器のターミナル３をベースブロック２に螺着して固定した場合を示す図であり、（ａ）はターミナル３のベースブロック２との螺着部分の側面断面図であり、（ｂ）は（ａ）中のＣ部分の拡大図である。図において、１２はターミナル３の端部をベースブロック２に螺着する支持固定用ネジ、３ｃはターミナル３の端部に設けた支持固定用ネジ１２の貫通孔であり、３ｄは貫通孔３ｃを貫通した支持固定用ネジ１２がある程度の長さまで抜けると、そのヘッドが接触しネジ１２の抜け落ちを防止するネジストッパである。２ａはベースブロック２に設けたネジ１２が螺着するネジ穴である。なお、図１に示したものと同一のものは同符号を付して重複した説明を省略する。
【００２５】
図４（ａ）に示すようにターミナル３は貫通孔３ｃを貫通した支持固定用ネジ１２により、ベースブロック２に螺着される。この貫通孔３ｃは図４（ｂ）に示すようにネジ１２の外径に対してほとんど隙間の無いような内径を有している。これより、図２（ｂ）に示すようにターミナル３がスライドレール８ａに釣支された状態においても、ネジ１２が貫通孔３ｃに接触して弛めた状態に保持され、ネジ１２が下方向に完全に下がってしまうことがない。このため再度ターミナル３をベースブロック２に螺着する際にネジ１２を再び引き戻す必要が無く容易に螺着作業を開始することができる。
【００２６】
上記では本体ケース１から取り外したしたターミナル３はターミナル回動部５によってスライドレール８ａに支持されている場合について示したが、ターミナル３がスライドレール８ａに着脱可能に支持してもよい。これにより、ターミナル３は本体ケース１から完全に取り外すことが可能であるので、配線作業におけるターミナル３の設置位置による制限がなく作業空間を広くとることができるので容易に作業することができる。
【００２７】
上記実施の形態１では、電子機器本体ケース１の前面に設けたターミナルスライド部８によって、本体ケース１から取り外したターミナル３を前面へ移動させるものについて示したが、本体ケース１の前面部に軸受け部を設け、ターミナル３のターミナル回動部５を支持させても本体ケース１の前面にターミナル３が釣支された状態になるので、本体ケース１の前面にてターミナル３への配線作業をすることができ、上記と同様の効果が得られる。また、上記の本体ケース１の前面部に設けたターミナル回動部５の軸受け部近傍にターミナルを固定する固定手段を設けることで釣支されたターミナル３がこの状態で固定され、より安定した状態で配線作業を行うことができる。
【００２８】
【産業上の利用可能性】
以上のように、この発明に係る電子機器は、ターミナルを電子機器筐体の前後面以外の外面に配置し、配線作業時には好適に前面にターミナルの設置位置を移動させることにより、配線作業が容易であり且つ機器前面の表示用の面積を確保することができるものである。
【００２９】
【発明の効果】
以上のように、請求項１項記載の発明に係る電子機器は、機器筐体下面に着脱自在に設けられ、外部配線を接続するための端子面を有するターミナルと、機器筐体前面側に設けられ、長手方向が機器筐体の上下方向に沿った長溝状のスライドレールからなるスライド手段と、ターミナルの端部に設けられ、スライドレールの長手方向にスライド可能に係合して支持されると共に、回動軸としてターミナルを機器筐体下面とその前面側との間で回動させる回動部を備え、ターミナルは、機器筐体下面から取り外して回動部を軸として機器筐体下面からその前面方向に回動させてスライドレールに釣支させ、この状態から回動部をスライドレールの長手方向上方にスライドさせることにより、端子面を前面にして機器筐体前面に配置されることを特徴とするもので、機器筐体の前面の面積を有効に利用することができ、例えば、大きな表示パネルを設けることで、多くのパラメータを表示することができ、視認性や操作性を向上させることができる効果がある。また、機器筐体の前面でターミナルへの配線作業を行うことができるので作業が容易であり、作業が完了するとターミナルを機器筐体の前後面以外の外面に設置することができるので、機器筐体の前面での操作中にケーブルを外してしまうことがなく操作性や安全性を向上させることができる効果がある。
【００３０】
請求項２記載の発明に係る電子機器は、機器筐体の前面部及びターミナルの一方は凸部形状のターミナル固定手段を備えるとともに、他方は凹部形状のターミナル固定手段を備え、ターミナル固定手段によってターミナルが機器筐体の前面に固定されるので、機器筐体の前面におけるターミナルへの配線作業をより安定した状態で行うことができる効果がある。
【図面の簡単な説明】
【図１】この発明の実施の形態１による電子機器の外観を示した五面図である。
【図２】この発明の実施の形態１による電子機器のターミナルの移動について説明した説明図である。
【図３】この発明の実施の形態１による電子機器のターミナルの構成部を示す図であり、（ａ）は図２（ａ）中のＡ部分の拡大図、（ｂ）は図２（ｃ）中のＢ部分の拡大図とその部分の正面図を併せて示している。
【図４】この発明の実施の形態１による電子機器のターミナルをベースブロックに螺着して固定した場合を示す図であり、（ａ）はターミナルのベースブロックとの螺着部分の側面断面図であり、（ｂ）は（ａ）中のＣ部分の拡大図である。
【図５】従来の電子機器の構成を示す図であり、（ａ）は正面図、（ｂ）は側面図、（ｃ）は上面図である。
【図１】
0003602446.tif 000002
【図２】
0003602446.tif 000003
【図３】
0003602446.tif 000004
【図４】
0003602446.tif 000005
【図５】
0003602446.tif 000006